【事件の表示】
　特願２０１３−２３１５８７「印刷装置及び印刷装置の制御方法」拒絶査定不服審判事件〔平成２７年５月１１日出願公開、特開２０１５−８９６７３〕について、次のとおり審決する。
【結　論】
　本件審判の請求は、成り立たない。
【理　由】
第１　手続の経緯
　本願は，平成２５年１１月７日の出願であって，その手続の経緯は以下のとおりである。
　平成２８年１１月　４日　手続補正
　平成２８年１１月３０日　手続補正
　平成２８年１２月　７日　拒絶理由通知
　平成２９年　１月　６日　意見書・手続補正
　平成２９年　１月１７日　拒絶査定
　平成２９年　４月２４日　審判請求・手続補正
　平成３０年　２月　８日　拒絶理由通知
　平成３０年　４月１３日　意見書・手続補正
第２　当審の判断
　１　本願発明
　本願の請求項２２に係る発明（以下「本願発明２２」という。）は，平成３０年４月１３日付けで補正された特許請求の範囲における，請求項２２に記載された事項によって特定されるべきものであり，その記載は次のとおりである。
　「【請求項２２】
　感光体と，表示部と，人感センサと，を備える印刷装置の制御方法であって，
　前記印刷装置を前記表示部に画面が表示されていない第１電力状態に移行するステップと，
　前記人感センサの検知結果に基づいて前記感光体を駆動することなく前記印刷装置を前記第１電力状態から前記表示部に画面が表示される第２電力状態に移行するステップと，
　前記表示部に表示された前記画面の操作に基づいて前記感光体が駆動するよう制御するステップと，を有することを特徴とする印刷装置の制御方法。」
　２　引用文献に記載された事項
　（１）引用文献
　平成３０年２月８日付け拒絶理由に引用され，本願の出願前に頒布された刊行物である特開２０１２−２４７７９９号公報（以下「引用文献」という。）には，図面とともに，以下の事項が記載されている。（下線は，当審で付与した。他の下線についても同じ。）
　ア「【００２６】
　図２には，
本実施の形態に係る画像処理装置１０が示されている。画像処理装置１０は，記録用紙に画像を形成する画像形成部２４０と，原稿画像を読み取る画像読取部２３８と，ファクシミリ通信制御回路２３６を備えている。画像処理装置１０は，メインコントローラ２００を備えており，画像形成部２４０，画像読取部２３８，ファクシミリ通信制御回路２３６を制御し
　イ「【００２９】
　
画像形成部２４０は，感光体を備え，感光体の周囲には，感光体を一様に帯電する帯電装置と，画像データに基づいて光ビームを走査する走査露光部と，前記走査露光部によって走査露光されることで形成された静電潜像を現像する画像現像部と，現像化された感光体上の画像を記録用紙へ転写する転写部と，転写後の感光体の表面をクリーニングするクリーニング部と，が設けられている。
　ウ「【００３２】
  ネットワーク回線網２０は、メインコントローラ２００に接続されている。
メインコントローラ２００には、それぞれ、データバスやコントロールバス等のバス３３Ａ〜３３Ｄを介して、ファクシミリ通信制御回路２３６、画像読取部２３８、画像形成部２４０、ＵＩタッチパネル２１６が接続されている。すなわち、このメインコントローラ２００が主体となって、画像処理装置１０の各処理部が制御されるようになっている
　エ「【００３４】
  また、
メインコントローラ２００には、２個の第１の人感センサ２８、第２の人感センサ３０が接続されており、画像処理装置１０の周囲の人の有無を監視している
　オ「【００７２】
　
ウォームアップモードは画像処理装置１０を迅速に処理可能状態にもっていくため，各モードの内最大の電力消費量となる
【００７３】
　
ウォームアップモードによる暖機運転が終了すると，画像処理装置１０はスタンバイモードに遷移する
　カ「【００９９】
　
節電中監視制御部２４では，前記第１の人感センサ２８及び第２の人感センサ３０の検出信号に基づく，上記３種類の形態の確定に基づいて，まず，メインコントローラ２００におけるＵＩタッチパネル２１６や節電解除ボタン２６を含むコピー実行等を指示するハードキー等の入力系への電力供給を実行する
，節電中監視制御部２４のみの電力供給よりも電力供給量が増加するので，アウェイクモード「ａｗｋ」（目覚めモード）として定義してもよい（図５の遷移図における，スリープモード範囲の括弧［　］内参照）
【０１００】
　その後，
ＵＩタッチパネル２１６又はハードキー等による操作指示によって，当該操作指示された機能に必要なデバイスに対して電力供給を実行する
　キ「【０２７４】
　図２４に示される如く，
ステップ４００では，第１の人感センサ２８で移動体（使用者）を検知したか否かが判断され
【０２７５】
　前記
ステップ４００で肯定判定されると，ステップ４０２へ移行し，画像処理装置１０の動作状態を，図５に示すスリープモード（ｓｌｐ）からアウェイクモード（ａｗｋ）モードへ遷移する。この遷移は，基本的には依然としてスリープモードではあるが，ＵＩタッチパネル２１６に電力が供給され，起動した状態である
【０２７６】
　次のステップ４０４では，節電中監視制御部２４での第１の人感センサ２８による監視体制を「無効」とし，ステップ４０６へ移行する。これは，例えば，使用者が画像処理装置１０の前で立ち止まり，静止すると，第１の人感センサ２８の出力がなくなり，使用者が去ったと判断される可能性があるからである。
【０２７７】
　
ステップ４０６ではＵＩタッチパネル２１６を用いたキー入力（操作）があったか否かが判断され
【０２７８】
　上記ステップ４０６，４０８の繰り返し中，
ステップ４０６で肯定判定，すなわち，キー入力（操作）があったと判定されると，ステップ４１６へ移行する
【０２７９】
　また，ステップ４０８で肯定判定，すなわち，第１の所定時間が経過してもキー入力（操作）がないと判定されると，ステップ４１０へ移行して，ＵＩタッチパネル２１６へメッセージ（例えば「キー操作をして下さい」等）を表示し，ステップ４１２へ移行する。
【０２８０】
　これにより，仮に，画像処理装置１０の前に使用者がいれば，キー操作を迅速に行う契機となり得る。なお，メッセージ内容は，上記に限らず，使用者にキー操作を促すメッセージであれば限定されるものではなく，視覚以外の五感（例えば，聴覚や触覚）を通じて報知してもよい。
【０２８１】
　次のステップ４１２では，ＵＩタッチパネル２１６を用いたキー入力（操作）があったか否かが判断され，否定判定されると，ステップ４１４へ移行して予め設定した第２の所定時間が経過したか否かが判断される。このステップ４１４で否定判定されると，ステップ４１２へ戻り，ステップ４１２，４１４を繰り返す。
【０２８２】
　なお，第１の所定時間と第２の所定時間の間に相関関係はないが，例えば，第１の所定時間は移動体（使用者）が近づいている可能性があるので比較的に長い時間に設定し，第２の所定時間はメッセージをみれば直ちに操作するであろうと予測できるので比較的短い時間に設定する，といった目的に応じた時間の設定が可能である。
【０２８３】
　上記ステップ４１２，４１４の繰り返し中，ステップ４１４で肯定判定，すなわち，キー入力（操作）があったと判定されるとステップ４１６へ移行する。
ステップ４１６では，立ち上げトリガを出力し，このルーチンは終了する。これにより，画像処理装置１０の動作状態はウォームアップモード（ｗｕｐ）へ遷移し，ウォームアップが完了すると，スタンバイモード（ｓｔｂ）となる
　ク　段落【００９９】の末尾にある「（図５の遷移図における，スリープモード範囲の括弧［　］内参照）」の「括弧［　］内」には，時間t軸の左から，「スリープ（slp）」，「立ち上げトリガ（人感センサ）」，「アウェイク（awk）（ex.UIのみ通電）」と記載され，「アウェイク（awk）（ex.UIのみ通電）」の次に「ウォームアップ（wup）」が続くことは自明である。
　ケ　【図５】から，「スリープ（slp）」の電力は「ほぼゼロ」であり，「アウェイク（awk）」と「ウォームアップ（wup）」の電力差は非常に大きい（図面上１：１６）ことが，看て取れる。
コ　　引用文献の画像処理装置１０は，制御の「ステップ」を用いて制御しているものであるから，実質的に「制御方法」に係る発明が記載されていることは明らかである。
　引用文献の上記記載事項を含め，引用文献の全記載を総合すると，引用文献には以下の事項（以下，「引用発明」という。）が記載されていると認められる。
　「画像形成部２４０に備えられた感光体と，
　ＵＩタッチパネル２１６と，
　第１の人感センサ２８と，を備える画像処理装置１０であって，
　メインコントローラ２００には、第１の人感センサ２８が接続されて、画像処理装置１０の周囲の人の有無を監視するとともに、ファクシミリ通信制御回路２３６、画像読取部２３８、画像形成部２４０、ＵＩタッチパネル２１６が接続され、該メインコントローラ２００が主体となって、画像処理装置１０の各処理部が制御されるものであって、
　ステップ４００では，第１の人感センサ２８で移動体（使用者）を検知したか否かが判断され，
　ステップ４００で肯定判定されると，画像処理装置１０の動作状態を，スリープモード（ｓｌｐ）から，アウェイクモード（ａｗｋ）モードへ遷移し，
　該アウェイクモード（ａｗｋ）モードにおいて，メインコントローラ２００におけるＵＩタッチパネル２１６や節電解除ボタン２６を含むコピー実行等を指示するハードキー等の入力系への電力供給を実行し，
　ステップ４０６ではＵＩタッチパネル２１６を用いたキー入力（操作）があったか否かが判断され，
　ステップ４０６で肯定判定，すなわち，キー入力（操作）があったと判定されると，ステップ４１６へ移行し，
　ステップ４１６では，立ち上げトリガを出力し，画像処理装置１０の動作状態はウォームアップモード（ｗｕｐ）へ遷移し，
　ＵＩタッチパネル２１６又はハードキー等による操作指示によって，当該操作指示された機能に必要なデバイスに対して電力供給を実行する画像処理装置１０の制御方法。」
　３　対比
　（１）本願発明２２と引用発明とを対比する。
　後者の「感光体」は，前者の「感光体」に相当する。
　以下同様に，「ＵＩタッチパネル２１６」は，「表示部」に，
　「第１の人感センサ２８」は，「人感センサ」に，
　「画像処理装置１０」は，「印刷装置」に，それぞれ相当する。
　前者の「アウェイクモード（ａｗｋ）モード」は，「スリープモード（ｓｌｐ）」から引き続いて遷移するモードであって，遷移したときに「ＵＩタッチパネル２１６に電力が供給され」るのであるから，前者のＵＩタッチパネル２１６は，スリープモード（ｓｌｐ）時には，画面が表示されていないことは自明である。したがって，後者の「スリープモード（ｓｌｐ）」は，前者の「第１電力状態」に相当する。
　後者の「アウェイクモード（ａｗｋ）モード」は，スリープモード（ｓｌｐ）中に，第１の人感センサ２８で移動体（使用者）を検知したことによって遷移するものであって，ＵＩタッチパネル２１６や節電解除ボタン２６を含むコピー実行等を指示するハードキー等の入力系への電力供給を実行する（消費）電力の少ない状態であるから，ＵＩタッチパネル２１６には何らかの表示が行われるが，画像処理に関わる感光体を駆動しない状態であることは自明である。したがって，後者の「アウェイクモード（ａｗｋ）モード」は，前者の「第２電力状態」に相当する。
　後者において「ＵＩタッチパネル２１６を用いたキー入力（操作）」があったと判定された場合，画像処理装置１０の動作状態はウォームアップモード（ｗｕｐ）へ遷移し，ＵＩタッチパネル２１６による操作指示によって，当該操作指示された機能に必要なデバイスに対して電力供給を実行」するものであるから，印刷実行指示であれば，感光体を駆動することになることは自明である。したがって，後者は，前者の「表示部に表示された画面の操作に基づいて感光体が駆動するよう制御する」に相当する構成を有しているといえる。
　以上のことより，両者は，
〈一致点〉
　「感光体と，表示部と，人感センサと，を備える印刷装置の制御方法であって，
　前記印刷装置を前記表示部に画面が表示されていない第１電力状態に移行するステップと，
　前記人感センサの検知結果に基づいて前記感光体を駆動することなく前記印刷装置を前記第１電力状態から前記表示部に画面が表示される第２電力状態に移行するステップと，
　前記表示部に表示された前記画面の操作に基づいて前記感光体が駆動するよう制御するステップと，を有することを特徴とする印刷装置の制御方法。」
　である点で一致し，相違点はない。
　第３　むすび
　以上のとおり，本願発明２２は，引用発明であるから，特許法第２９条第１項第３号に該当し，特許を受けることができない。
　したがって，本願は，他の請求項について検討するまでもなく，拒絶されるべきものである。
　よって，結論のとおり審決する。